【事件の表示】
　上記当事者間の登録第０９９５３３０号商標の登録取消審判事件について、次のとおり審決する。
【結　論】
　登録第０９９５３３０号商標の指定商品「第２５類　被服」については、その登録を取り消す。
　審判費用は、被請求人の負担とする。
【理　由】
１　本件商標
　本件登録第９９５３３０号商標（以下「本件商標」という。）は、別掲に示すとおりの構成からなり、昭和４４年４月１日に登録出願、第１７類「被服、布製身回品、寝具類」を指定商品として、昭和４８年１月２４日に設定登録されたものである。その後、指定商品については、平成１６年６月２日、第２４類「布製身の回り品，敷布，布団，布団カバー，布団側，まくらカバー，毛布」及び第２５類「被服」に書換登録がなされたものである。
　　
２　請求人の主張
　請求人は、結論と同旨の審決を求め、その理由を次のように述べ、証拠方法として本件商標の登録原簿の写し及び商標を示す資料を提出した。
（１）請求の理由
　請求人の市場調査では本件商標が過去３年以上に亘り、取消を求めた商品に使用されていた事実を発見できなかった。よって、本件登録は、指定商品中「被服」について、商標法第５０条の規定により取消しを免れないものである。
（２）弁駁
　ア　本件商標がその指定商品に使用されているとの主張は提出された証拠からは認められない。答弁理由の（１）及び（２）は独自の見解である。被請求人が本件商標の使用許諾を与えたと主張している株式会社ゼン・プランニング・コーポレーション（以下「ゼン・プランニング・コーポレーション」という。）は、請求人による調査及び被請求人が提出した証拠（乙第４号証の２及び３）によれば、企業から委託を受けてデザインしたユニフォームを製造している、いわゆる被服の加工業者である。
　イ　本件商標の片仮名部分以外は、特定の称呼の生じない図形部分と見るべきである。
　ウ　提出された証拠からは、被請求人が本件商標を使用した指定商品を販売している事実は見当たらない。
　　
３　被請求人の主張
　被請求人は、本件審判請求は成り立たない、審判費用は請求人の負担とするとの審決を求めると答弁し、その理由を次のように述べ、証拠方法として乙第１号証ないし同第６号証（枝番号を含む。）を提出した。
（１）本件商標は、商公昭４７−１５８３号公報（乙第１号証）に記載されているとおり、「ＯＨｏｒｉ」のローマ字とその右下半分に小さく片仮名の「オーリィ」を書してなる、ローマ字と片仮名の２段横書きにてなる文字商標であって、要部は「ＯＨｏｒｉ」にあってオーリィと称呼するものである。
　請求人はローマ字に精通しているイギリス人でありながら、本願商標中の「ＯＨｏｒｉ」を図形と見ている誤りがある。特に筆記体で表された末尾の「ｒｉ」の文字はローマ字であることが明らかであり、これを図形と見ていることはどうにも納得しかねる。
（２）本件商標は出願人の姓であるＨｏｒｉに、当時日本および世界を沸かせたプロ野球選手の王貞治選手のＯＨ（乙第２号証）を頭にして、「ＯＨｏｒｉ」にして出願したものであり、「ＯＨｏｒｉ」がサインようのローマ字にてなるも、その下に小さく「オーリィ」の片仮名文字があることから、これがフリガナの役割をしてオーリィと称呼される文字商標であることはまぎれもない事実である。サインようのローマ字にてなる商標に称呼用のフリガナを付すことは慣習である。すなわち、商公平８−１２３４７４号公報（乙第３号証の１）、登録第４５７４１１０号公報（乙第３号証の２）、登録第４６２８６７８号公報（乙第３号証の３）、登録第４８７７６０２号公報（乙第３号証の４）、商公昭６３−６７３６号公報（乙第３号証の５）、登録第４５７６４９６号公報（乙第３号証の６）、登録第４０５１２２６号公報（乙第３号証の７）はいずれもむずかしいローマ字の文字商標であるが、称呼用のフリガナを付していることで称呼を明確にしていることで裏付けられている。特に本件商標のＯＨｏｒｉとオーリィは５文字、４文字の少ない字並びにて称呼しやすいこと、昭和４８年の登録であって、請求人も言うように３度の更新を経て、３０数年の長期に亘って存続し使用し続けていることから、「ＯＨｏｒｉ」はオーリィの称呼にて需要者間によく知られ、浸透していることは経験則からも明らかである。
（３）被請求人はゼン・プランニング・コーポレーションの役員（乙第４号証の４）であることから、本件商標の通常使用権をゼン・プランニング・コーポレーションに許諾（乙第４号証の１）している。
　そして、本件商標のＯＨｏｒｉは通常使用権者のゼン・プランニング・コーポレーションによって、被服の販売に当って使用され続けている。
　同社は、衣服文化の全域及びユニフォーム全般に前進的な企画設計を善意をもって創造・推進する専門企画集団であって、会社案内（乙第４号証の２）にてわかるように、サーヴァーズユニフォームに本件商標「ＯＨｏｒｉ」を付して販売し続けている。また同社の代表取締役　新井俊二が作成した説明書（乙第４号証の３）も、本件商標の「ＯＨｏｒｉ」を付した被服の販売実績を写真を示しながら説明している。
　ア　ＯＨｏｒｉの商標を付した販売店員向けの長袖ユニフォームシャツとリバーシブルベスト１着を平成１７年８月２日に大島美智恵氏に３８８５０円で販売した事実を示す納品書控と、販売した長袖ユニフォームシャツとリバーシブルベストの写真および襟タグ部分の拡大写真（乙第５号証の１及び２）を提出する。
　イ　ＯＨｏｒｉの商標を使用して販売したユニフォームジャケットとスカート各１３着およびジャケットサンプルとスカートサンプル各１着を、平成１８年９月２９日に、株式会社閑ジュエリーに７５３９００円で販売した事実を示す納品書控（乙第６号証の１）を提出する。
　ウ　同年１１月１６日、同社に同じジャケットとスカート各３着を１４４９００円で販売した事実を示す納品書控（乙第６号証の２）を提出する。
　エ　平成１９年２月２８日、同社に同形ジャケットとスカート各４着を１９３２００円で販売した事実を示す納品書控（乙第６号証の３）を提出する。
　上記イないしエにて販売したジャケットとスカートの写真は、乙第６号証の４にて示している。ジャケットの襟の内側に「ＯＨｏｒｉ」が付されているがトルソーでかくれていて、この点は、２枚目の写真にてＯＨｏｒｉの襟タグと所属、氏名のネームタグを大きく写していることで証明している。
（４）むすび
　本件商標中、ローマ字によるＯＨｏｒｉの使用は、本件商標の要部であって、下の小さい片仮名と同一の称呼及び観念を生ずることから、社会通念上登録商標の使用と明確に認定されるものであり、したがって、商標法第５０条の不使用による取消し要件に該当しない。
　　　
４　当審の判断
（１）被請求人提出の証拠によれば、以下の事実が認められる。
　ア　被請求人は、ゼン・プランニング・コーポレーションの取締役であり、同社に対し、本件商標について通常使用権の許諾をしている（乙第４号証の１、同４）。
　イ　上記の通常使用権者に係る会社案内（乙第４号証の２）には、同社の業務内容や実績等が示されており、添付の「サーヴァーズ・ユニフォーム・カタログ」には「ＯＨＯＲＩ」の文字が使用されているが、別掲に示すとおりの構成からなる本件商標に係る表示は見出せない。
　ウ　「『ＯＨｏｒｉ』『オーリィ』について」（乙第４号証の３）の添付写真には、別掲に示す構成から「オーリィ」を除いた商標（以下「使用に係る商標」という。）を表示した襟タグが付されているユニフォーム及び同じくシャツの現物が写され、また、その襟タグそのものが示されている。
　エ　納品書控（乙第５号証の１）によれば、平成１７年８月２日付で、上記の通常使用権者が「大島美智恵」に、品名「長袖シャツ＆リバーシブルベスト」の数量「１」を納品したことが認められる。そして、続葉の写真（乙第５号証の２）にはシャツが写されており、そのシャツの襟タグには使用に係る商標が表示されている。
　また、納品書控（乙第６号証の１）によれば、平成１８年９月２９日付で、品名「ジャケット」を数量「１３」、品名「スカート」を数量「１３」、品名「ジャケットサンプル」を数量「２」、品名「スカートサンプル」を数量「２」、また、平成１８年１１月１６日付で、品名「ジャケット」を数量「３」、品名「スカート」を数量「３」、さらに、平成１９年２月２８日付で、品名「ジャケット」を数量「４」、品名「スカート」を数量「４」を、いずれも、上記の通常使用権者が「（株）閑ジュウリー」に納品したことが認められる。そして、続葉の写真（乙第６号証の４）には、ジャケットとスカートの一組が写されており、ジャケットの襟タグには使用に係る商標が表示されている。
　なお、上記納品書控の日付は、いずれも、本件審判請求の登録前３年以内（以下「本件期間内」という。）のものである。
（２）ア　本件商標は、別掲に示すとおり、図案化された欧文字の右下に小さく「オーリィ」の片仮名文字を配したものである。そして、その構成中の上段の図案化された欧文字部分は、それ自体では判読が極めて難く、片仮名文字が付されてはじめて「オーリィ」との読みが可能となり得るものである。
　そうとすれば、本件商標は、全体として一体の商標とみるべきである。
　したがって、振り仮名を欠く使用に係る商標は、称呼及び観念を特定し得ず、一種特有の図案化がされた欧文字からなる標章として看取されるというのが相当であり、本件商標と同一の称呼及び観念を生ずるとすることはできない。
　してみると、使用に係る商標は、本件商標と社会通念上同一の商標とは認め難いといわざるを得ないものである。
　イ　被請求人は、本件商標が「３度の更新を経て、３０数年の長期に亘って存続し使用し続けていることから、『ＯＨｏｒｉ』はオーリィの称呼にて需要者間によく知られ、浸透していることは経験則からも明らかである」と主張する。
　しかし、活字体で表された「ＯＨｏｒｉ」の文字はオーリィの読みをもって称呼し得るけれども、本件商標が活字体で表された「ＯＨｏｒｉ」の文字そのものでないことは明らかであるうえ、使用に係る商標が「ＯＨｏｒｉ」として看取されるといい難いことは前記のとおりであり、また、これが「オーリィ」の称呼をもって取引上需要者間に定着しているとすべき客観的な証拠もないから、被請求人の主張をもって前記判断を左右し得ない。
　ウ　さらに、証拠（乙第５号証及び同第６号証）によれば、納品書控の続葉として、使用に係る商標が付された商品の写真が示されているが、全証拠を総合しても、写真に示された商品がその取引の対象であったとすべき的確な資料（例えば、品番の一致等を示すもの）は見出せないから、これをもって、使用に係る商標が付された商品が、納品書控の年月日において現に取引（納品）されたとまで推認することはできないといわざるを得ない。
（３）以上、使用に係る商標は、本件商標と社会通念上同一の商標とは認められず、さらに、その使用の時期については明らかでないといわざるを得ないから、被請求人提出の証拠によっては、本件期間内における本件商標の使用を証明したと認めることができない。
　他に、本件商標が本件期間内に「被服」について使用をされたとすべき証拠はなく、不使用についての正当理由に係る主張及び立証はない。
（４）したがって、本件商標は、指定商品中「被服」について、商標法第５０条により、その登録の取消しを免れないものである。
　よって、結論のとおり審決する。